(57)【要約】【課題】タイムキープ状態から再生状態に遷移する場合に、一時停止画像からスムーズに再生画像に切り替えることのできる映像信号記録再生装置を提供することを目的とする。【解決手段】記録メディア３内に記録され再生された第１の映像信号１１と分配された第２の映像信号１２とを切り替えて出力するスイッチ５と、出力された映像信号を一時記憶する映像信号キャプチャ部６を設け、キャプチャ部６はユーザーからの一時停止要求と同時または一時停止要求から所定の時間経過後の入力を一次記憶し停止画像として出力し、それ以降のキャプチャを止める。そして、スイッチ５からの映像信号が再生部４で再生された第１の映像信号１１の出力に変わり次第、キャプチャを始め、入力をそのまま出力する。【選択図】  図１
2004172814.tif 000002
【特許請求の範囲】
【請求項１】
入力された映像信号を第１の映像信号と第２の映像信号の２つに分配する分配部と、分配された第１の映像信号を所定の記録メディアに記録する記録部と、前記記録メディア内に記録された前記第１の映像信号を再生する再生部と、再生された前記第１の映像信号と分配された前記第２の映像信号とを切り替えて出力する切替部と、出力された映像信号を一時記憶する映像信号キャプチャ部とを有する事を特徴とする映像信号記録再生装置。
【請求項２】
ユーザーの一時停止要求に応じて、映像信号キャプチャ部は出力する映像信号を一時停止するとともに一時停止画像を出力し、かつ、記録部は記録メディアに第１の映像信号の記録を開始する事を特徴とする請求項１記載の映像信号記録再生装置。
【請求項３】
映像信号キャプチャ部内の映像信号と、記録メディア内に記録された第１の映像信号とを比較する映像信号比較部を有する事を特徴とする請求項１記載の映像信号記録再生装置。
【請求項４】
記録部が記録メディアに記録時に付加情報を生成するとともに、前記付加情報から、記録メディア内に記録された第１の映像信号への切り替えポイントを算出する付加情報解析部を有する事を特徴とする請求項２記載の映像信号記録再生装置。
【発明の詳細な説明】
【０００１】
【発明の属する技術分野】
本発明は、映像信号を所定の記録メディアに記録・再生する映像信号記録再生装置に関するものである。
【０００２】
【従来の技術】
従来の映像信号記録再生装置を図４を用いて説明する。
【０００３】
図４は、従来の映像信号記録再生装置のブロック図である。図において、１は分配部、２は記録部、３は記録メディア、４は再生部、５は切替部としてのスイッチである。分配部１は、入力された映像信号１０を第１の映像信号１１と第２の映像信号１２の２つに分配して出力する。記録部２は、入力された第１の映像信号１１を所定の変換をして記録メディア３に記録（録画）する。再生部４は、記録メディア３内のデータを所定の変換をして第１の映像信号に再生して出力する。スイッチ５は、分配部１からの第２の映像信号１２と再生部４からの第１の映像信号１１をユーザーの指定に応じて切り替えて出力する。出力された映像信号は、変換され、表示装置に画像として画面表示される。
【０００４】
以上のように構成された従来の映像信号記録再生装置において、スイッチ５が分配器１からの第２の映像信号１２を選択し出力している場合、記録部２は記録メディア３への記録動作を行なっていない。
【０００５】
このとき、ユーザーが第２の映像信号１２の出力の一時停止要求を指示すると、記録部２は記録メディア３への第１の映像信号１１の記録を開始する。再生部４は記録メディア３内への記録が行なわれ次第再生を開始し、最初の画像で一時停止する。スイッチ５はユーザーから再生要求があり次第、再生部４からの再生された第１の映像信号１１を出力する。このような、ユーザーの一時停止要求があってから再生要求があるまでの間記録を行う機能をタイムキープ機能、この間の状態をタイムキープ状態と称している。
【０００６】
なお、映像信号をハードディスクなどの記録媒体に記録し、その記録した直後の映像信号を読み出すようになした同時記録再生機能を有すると共に、その記録機能は一時停止機能を併せ持つようになされた映像信号記録再生装置に関する先行特許文献としては、下記のものがある。
【０００７】
【特許文献１】
特開２００２−１５８９６４号公報
【０００８】
【発明が解決しようとする課題】
上記従来の映像信号記録再生装置では、記録メディアに映像信号の録画を開始し、記録された映像信号を再生するまで、画面表示を停止できなかった。また、画面表示停止時、もしくは、タイムキープ状態から再生状態への遷移時に画面表示の連続性が失われるという不具合が生じていた。
【０００９】
本発明は、タイムキープ状態から再生状態に遷移する場合に、一時停止画像からスムーズに再生画像に切り替えることのできる映像信号記録再生装置を提供することを目的とする。
【００１０】
【課題を解決するための手段】
この課題を解決するために本発明は、記録メディア内に記録され再生された第１の映像信号と分配された第２の映像信号とを切り替えて出力する切替部と、出力された映像信号を一時記憶する映像信号キャプチャ部を設けたものである。
【００１１】
これにより、映像信号の出力の一時停止要求と同時に画面表示を停止でき、タイムキープ状態から再生状態に遷移する場合に、一時停止画像からスムーズに再生画像に切り替えることができる。
【００１２】
【発明の実施の形態】
本発明の請求項１に記載の発明は、入力された映像信号を第１の映像信号と第２の映像信号の２つに分配する分配部と、分配された第１の映像信号を所定の記録メディアに記録する記録部と、前記記録メディア内に記録された前記第１の映像信号を再生する再生部と、再生された前記第１の映像信号と分配された前記第２の映像信号とを切り替えて出力する切替部と、出力された映像信号を一時記憶する映像信号キャプチャ部とを有する事を特徴とする映像信号記録再生装置であり、記録されていない映像を停止することができるという作用を有する。
【００１３】
請求項２に記載の発明は、請求項１記載の映像信号記録再生装置において、ユーザーの一時停止要求に応じて、映像信号キャプチャ部は出力する映像信号を一時停止するとともに一時停止画像を出力し、かつ、記録部は記録メディアに第１の映像信号の記録を開始する事を特徴とするもので、一時停止画像から再生画像に切り替えるという作用を有する。
【００１４】
請求項３に記載の発明は、請求項１記載の映像信号記録再生装置において、映像信号キャプチャ部内の映像信号と、記録メディア内に記録された第１の映像信号とを比較する映像信号比較部を有する事を特徴とするもので、タイムキープ状態から再生状態に遷移する場合に、一時停止画像から再生画像への画面表示の連続性が確保できるという作用を有する。
【００１５】
請求項４に記載の発明は、請求項２記載の映像信号記録再生装置において、記録部が記録メディアに記録時に付加情報を生成するとともに、前記付加情報から、記録メディア内に記録された第１の映像信号への切り替えポイントを算出する付加情報解析部を有する事を特徴とするもので、一時停止画像から再生画像への切り替えがスムーズに行えるという作用を有する。
【００１６】
以下、本発明の実施の形態について、図１から図３を用いて説明する。
【００１７】
（実施の形態１）
図１は、本発明の第１の実施の形態の映像信号記録再生装置のブロック図を示すものである。図において、従来例と同じところは、同じ番号を付し説明を省略する。従来例と異なるところは、スイッチ５から出力される映像信号を、ユーザーの指定に応じて、そのまま出力するかキャプチャするキャプチャ部６を設けた点である。
【００１８】
以上のように構成された本実施の形態の映像信号記録再生装置において、スイッチ５が分配部１からの第２の映像信号１２を選択し出力している場合、記録部２は記録メディア３への記録動作を行なっていない。
【００１９】
このとき、ユーザーが第２の映像信号１２の出力の一時停止要求を指示すると、記録部２は記録メディア３への第１の映像信号１１の記録を開始する。再生部４は記録メディア３内への記録が行なわれ次第再生を開始し、最初の画像で一時停止する。スイッチ５は再生部４から出力がされ次第、再生された第１の映像信号１１を出力する。
【００２０】
一方、キャプチャ部６はユーザーからの一時停止要求と同時または一時停止要求から所定の時間（例えば０．５秒）経過後の入力を一次記憶し停止画像として出力し、それ以降のキャプチャを止める（タイムキープ状態）。そして、スイッチ５からの映像信号が再生部４で再生された第１の映像信号１１の出力に変わり次第、キャプチャを始め、入力をそのまま出力する。
【００２１】
または、キャプチャ部６はユーザーが再生開始を指示するまで、キャプチャを止め続け、再生開始の指示を受け次第、スイッチ５から再生された第１の映像信号１１を出力し始めてもよいし、スイッチ５、キャプチャ部６が、ユーザーが再生開始を指示するまで、それぞれ、スイッチ５は第２の映像信号１２を出力し続け、キャプチャ部６はキャプチャを止め続け、再生開始の指示を受け次第、スイッチ５は再生部４からの第１の映像信号１１を出力し始め、キャプチャ部６は、スイッチ５から映像信号を出力し始めてもよい。
【００２２】
これにより、記録開始と同時に記録した映像信号を停止することができ、タイムキープ状態の一時停止画像から再生画像に切り替えることができる。
【００２３】
（実施の形態２）
図２は、本発明の第２の実施の形態の映像信号記録再生装置のブロック図を示すものである。図において、第１の実施の形態と同じところは、同じ番号を付し説明を省略する。第１の実施の形態と異なるところは、映像信号を比較する映像信号比較部７を設けた点である。
【００２４】
以上のように構成された本実施の形態の映像信号記録再生装置において、スイッチ５が分配部１からの第２の映像信号１２を選択し出力している場合、記録部２は記録メディア３への記録動作を行なっていない。
【００２５】
このとき、ユーザーが第２の映像信号１２の出力の一時停止要求を指示すると、記録部２は記録メディア３への第１の映像信号１１の記録を開始する。再生部４は記録メディア３内への記録が行なわれ次第再生を開始し、最初の画像で一時停止する。スイッチ５は再生部４から出力がされ次第、再生された第１の映像信号１１を出力する。
【００２６】
一方、キャプチャ部６はユーザーからの一時停止要求と同時または一時停止要求から所定の時間（例えば０．５秒）経過後の入力を一次記憶し停止画像として出力し、それ以降のキャプチャを止める。そして、スイッチ５からの映像信号が再生部４で再生された第１の映像信号１１の出力に変わり次第、キャプチャを始め、入力をそのまま出力する。
【００２７】
映像信号比較部７は、キャプチャ部６からの映像信号の出力と再生部４からの第１の映像信号１１の出力とを比較し、一致もしくは不一致の判定結果を再生部４に伝える。再生部４は映像信号比較部７からの判定結果が不一致の場合には、再生する画像を変える。
【００２８】
次に、映像信号比較部７は、キャプチャ部６からの出力と再生部４の出力を比較し、一致もしくは不一致の判定結果を再生部４に伝える。再生部４は映像信号比較部７からの判定結果が不一致の場合には、再生する画像を変えるというループを判定結果が一致となるまで行なう。
【００２９】
判定結果が一致となった場合、スイッチ５は再生部４から出力がされ次第、再生された第１の映像信号１１を出力する。
【００３０】
なお、映像信号比較部における判定手法としては、輝度信号のみを用いて比較しても良いし、輝度信号と色差信号の両方を用いても良い。
【００３１】
また、比較手法として、差分を算出しても良いし、分散を算出しても良いし、動きベクトルを算出しても良いし、周波数分布を算出しても良い。
【００３２】
また、判定基準としては、完全一致でなくても、所定の基準値をクリアすることを基準としても良い。
【００３３】
また、比較する範囲は、所定の時間間隔内でも良い。
【００３４】
これにより、タイムキープ状態から再生状態に遷移する場合に、一時停止画像から再生画像への画面表示の連続性が確保できる。
【００３５】
（実施の形態３）
図３は、本発明の第３の実施の形態の映像信号記録再生装置のブロック図を示すものである。図において、第１の実施の形態と同じところは、同じ番号を付与し説明を省略する。第１の実施の形態と異なるところは、付加情報解析部８を設けた点である。
【００３６】
以上のように構成された本実施の形態の映像信号記録再生装置において、スイッチ５が分配部１からの第２の映像信号１２を選択し出力している場合、記録部２は記録メディア３への記録動作を行なっていない。
【００３７】
このとき、ユーザーが第２の映像信号１２の出力の一時停止要求を指示すると、記録部２は記録メディア３への第１の映像信号１１の記録を開始する。付加情報解析部８は、記録部２からの付加情報を解析し、再生部４へ再生すべき映像信号を指示する。当該付加情報には、再生すべき映像信号が何処に記録されているかを示す情報が含まれている。例えば、記録したファイルのＩＤ、再生すべき映像信号の記録時刻、再生すべき映像信号のファイル中の位置（ファイルの先頭からのバイト数）が情報として含まれている。付加情報解析部８は、付加情報から上記３点の情報を解析し、再生すべき映像信号が記録メディア３から再生されるように、再生位置を再生部４に指示する。再生部４は記録メディア４から、付加情報解析部８により指示された画像を再生し、一時停止する。スイッチ５は再生部４から出力がされ次第、再生された映像信号を出力する。
【００３８】
一方、キャプチャ部６はユーザーからの一時停止要求と同時または一時停止要求から所定の時間（例えば０．５秒）経過後の入力を一次記憶し停止画像として出力し、それ以降のキャプチャを止める。そして、スイッチ５からの映像信号が再生部４で再生された映像信号の出力に変わり次第、キャプチャを始め、入力をそのまま出力する。
【００３９】
これにより、一時停止画像から再生画像への切り替えがスムーズに行える。
【００４０】
なお、本発明の全ての実施の形態において、キャプチャ部６は、スイッチ５からの出力が再生部４からの出力に変わり次第、キャプチャを始め、入力をそのまま出力しなくても、再生状態への遷移時に切り替えても良い。
【００４１】
記録部内の映像信号に関する所定の変換は、アナログ変調・アナログデジタル変換・アナログ帯域圧縮方式・デジタル高能率符号化方式などいずれの方式  および組合せでもよい。当然、再生部内の変換は記録部内の変換の逆変換となる。記録メディアは、ディスク、テープやＨＤＤでもよい。
【００４２】
【発明の効果】
キャプチャ部を有する事により、記録開始と同時に記録した映像を停止することができ、また、映像信号比較部もしくは付加情報解析部を有する事により、タイムキープ状態から再生状態への遷移時にスムーズに遷移できるようになるという有利な効果が得られる。
【図面の簡単な説明】
【図１】本発明の第１の実施の形態の映像信号記録再生装置のブロック図
【図２】本発明の第２の実施の形態の映像信号記録再生装置のブロック図
【図３】本発明の第３の実施の形態の映像信号記録再生装置のブロック図
【図４】従来の映像信号記録再生装置のブロック図
【符号の説明】
１  分配部
２  記録部
３  記録メディア
４  再生部
５  スイッチ
６  キャプチャ部
７  映像信号比較部
８  付加情報解析部
【図１】
2004172814.tif 000003
【図２】
2004172814.tif 000004
【図３】
2004172814.tif 000005
【図４】
2004172814.tif 000006